(57)【特許請求の範囲】
【請求項１】
グラウト用ポンプの吐出流路と接続する圧力開放通路に連通して設置し、当該グラウト用ポンプが所定の圧力を超えたとき自動的に、あるいは手動で圧力を開放するための圧抜き装置であって、
該圧抜き装置は、
前記圧力開放通路に連通するシリンダー部と排出孔とを備えるブロック体と、
筒形状で途中にテーパー部を有し端部にパッキン部を備え、前記シリンダー部に配設される弁部材と、
該弁部材に挿通し、所定の圧力を受けると折断する欠損部を両端部側に有する安全ピンと、
一端部が前記弁部材を押し込み可能であり、他端部が前記ブロック体の上部から突出して位置する押込みボルトと、を少なくとも備え、
前記安全ピンの両端部が、前記ブロック体の下部と、前記圧力開放通路の縁部との間に挟持されて、前記弁部材が仮固定される構成であること
を特徴とする圧抜き装置。
【請求項２】
前記圧力開放通路の残圧が所定の圧力を超えたとき、前記弁部材が押圧されて前記安全ピンの欠損部が折断する構成であり、又は前記押込みボルトを螺入して前記一端部で前記弁部材を強制的に押し込んで、前記安全ピンの欠損部を折断させる構成であること
を特徴とする請求項１に記載の圧抜き装置。
【請求項３】
前記押込みボルトの他端部側には、当該押込みボルトの誤螺入防止用部材を取外し自在に備えること
を特徴とする請求項１に記載の圧抜き装置。
【発明の詳細な説明】
【技術分野】
【０００１】
本発明は、高圧プランジャーポンプ等のグラウト用ポンプの吐出流路と接続する圧力開放通路に連通して設置し、当該グラウト用ポンプが所定の圧力を超えたとき自動的に、あるいは手動で圧力を開放するための圧抜き装置に関するものである。
【背景技術】
【０００２】
従来、削孔や地盤改良等の工事に使用する、高圧プランジャーポンプ等のグラウト用ポンプは、工事を行っている際に、高圧ホースのノズル等が何らかの原因で詰まることがある。このとき、高圧のグラウト用ポンプはグラウトを供給し続けるので、吐出流路内に異常圧力が加わることとなる。
【０００３】
この異常圧力をグラウト用ポンプの検知装置が検知すると、当該ポンプの駆動を停止させる仕組みになっている。
【０００４】
なお、特開平１１−２５７２４４号公報には、セメントミルク等を圧送するプランジャーポンプの圧抜き機構が開示されている（特許文献１参照）。
【先行技術文献】
【特許文献】
【０００５】
【特許文献１】１１−２５７２４４号公報（図４）
【発明の概要】
【発明が解決しようとする課題】
【０００６】
しかしながら、グラウト用ポンプの検知装置が異常圧力を検知して、当該ポンプの駆動を停止しても、グラウトの吐出流路内には異常圧力が残存することとなる。
【０００７】
この場合、高圧ホースの先端部を切断したり、あるいは高圧ホースの連結部を外して残圧を開放している。しかし、高圧ホースを切断等した瞬間に、高圧のセメントミルク等が噴出するので大変危険であり、噴きだしたセメントミルクで負傷事故が発生するおそれがあるという問題点を有している。
【０００８】
従って、従来例における場合においては、高圧ホースのノズル等が閉塞したときに、安全でかつ確実に残圧を開放することに解決しなければならない課題を有している。
【課題を解決するための手段】
【０００９】
前記従来例の課題を解決するための本発明の要旨は、グラウト用ポンプの吐出流路と接続する圧力開放通路に連通して設置し、当該グラウト用ポンプが所定の圧力を超えたとき自動的に、あるいは手動で圧力を開放するための圧抜き装置であって、該圧抜き装置は、前記圧力開放通路に連通するシリンダー部と排出孔とを備えるブロック体と、筒形状で途中にテーパー部を有し端部にパッキン部を備え、前記シリンダー部に配設される弁部材と、該弁部材に挿通し、所定の圧力を受けると折断する欠損部を両端部側に有する安全ピンと、一端部が前記弁部材を押し込み可能であり、他端部が前記ブロック体の上部から突出して位置する押込みボルトと、を少なくとも備え、前記安全ピンの両端部が、前記ブロック体の下部と、前記圧力開放通路の縁部との間に挟持されて、前記弁部材が仮固定される構成である。
【００１０】
また、前記圧力開放通路の残圧が所定の圧力を超えたとき、前記弁部材が押圧されて前記安全ピンの欠損部が折断する構成であり、又は前記押込みボルトを螺入して前記一端部で前記弁部材を強制的に押し込んで、前記安全ピンの欠損部を折断させる構成であること、；
前記押込みボルトの他端部側には、当該押込みボルトの誤螺入防止用部材を取外し自在に備えること、；
を含むものである。
【発明の効果】
【００１１】
本発明に係る圧抜き装置によれば、高圧ホースのノズル等が詰まったときに、自動的にあるいは手動で、安全かつ確実に残圧を開放することができる。従って、従来例のような、高圧ホースを切断した瞬間にセメントミルクが噴出して負傷する事故を防止できるという優れた効果を奏する。
【００１２】
また、圧力開放通路の残圧が所定の圧力を超えたとき、弁部材が押圧されて安全ピンの欠損部が折断する構成であり、又は押込みボルトを螺入して一端部で弁部材を強制的に押し込んで、安全ピンの欠損部を折断させる構成であることによって、高圧ホースのノズル等が詰まったときに、自動的に又は手動で、安全かつ確実に残圧を開放することができるという優れた効果を奏する。
【００１３】
そして、押込みボルトの他端部側には、当該押込みボルトの誤螺入防止用部材を取外し自在に備えることによって、誤った押込みボルトの螺入を防止できるので、意に反して吐出流路の圧力を開放する失敗を起こさないという優れた効果を奏する。
【図面の簡単な説明】
【００１４】
【図１】本発明に係る圧抜き装置１１の斜視図である。
【図２】本発明に係る圧抜き装置１１の正面側の縦断面図である。
【図３】本発明に係る圧抜き装置１１の弁部材１５を分離して示した正面側の縦断面図である。
【図４】本発明に係る圧抜き装置１１の弁部材１５を分離して示した側面側の縦断面図である。
【図５】弁部材１５の正面図である。
【図６】誤螺入防止用部材３１の斜視図である。
【図７】圧抜き装置１１を躯体２４に設置した状態の正面図である。
【図８】圧抜き装置１１を圧力開放通路１９に連通させて設置した状態の正面側の縦断面図である。
【図９】押込みボルト１７を螺入して弁部材１５を強制的に押し込む状態を説明する、正面側の縦断面図である。
【図１０】弁部材１５の安全ピン１６の欠損部２０が折断した状態を説明する、正面側の縦断面図である。
【発明を実施するための形態】
【００１５】
次に、本発明の実施の形態について図面を参照しながら説明する。まず、図１から図４において、符号１１は圧抜き装置を示し、この圧抜き装置１１は、シリンダー部１２と排出孔１３とを備えるブロック体１４と、シリンダー部１２に配設される弁部材１５と、弁部材１５に挿通する安全ピン１６と、弁部材１５を押し込み可能な押込みボルト１７とから構成される。
【００１６】
圧抜き装置１１は、図示しないグラウト用ポンプの吐出流路１８と接続する圧力開放通路１９に連通させて設置し、当該グラウト用ポンプが所定の圧力を超えたとき自動的に、あるいは手動で圧力を開放するための装置である（図７から図１０参照）。
【００１７】
ブロック体１４は、鋼材等で形成されて適宜の重量を有し直方体形状を呈する。また、ブロック体１４は、図１から図４に示すように、底部２２が開口して形成されるシリンダー部１２と、シリンダー部１２に連通して側部２９ａが開口して形成される排出孔１３とを有する。シリンダー部１２の上部には、押込みボルト１７の一端部１７ａが突出可能に位置する。そして、シリンダー部１２が圧力開放通路１９（凹部分１９ｂ）に連通する構成になっている（図８から図１０参照）。
【００１８】
ブロック体１４の上部には、コ字状の保持部材２６が設けられており、この保持部材２６の両端部２６ａが、ブロック体１４の側部２９ｂにボルト２７で固定されている。保持部材２６の中央部には、開口部３０が設けられており、この開口部３０に、押込みボルト１７の他端部１７ｂ側が挿通している（図１参照）。
【００１９】
弁部材１５は、図５に示すように、筒形状で、筒部１５ｅの側部に安全ピン１６を挿通する挿通孔１５ｂを備え、途中にテーパー部１５ｃを有し、下端部に弾性のあるパッキン部１５ｄを備えている。
【００２０】
この弁部材１５は、その上方部分がシリンダー部１２に嵌り込むように配設され、後述する安全ピン１６の欠損部２０が切断したときに、当該弁部材１５がシリンダー部１２内を上昇するようになっている（図１０参照）。
【００２１】
安全ピン１６は、図５に示すように、所定長さの棒状に形成され、弁部材１５の挿通孔１５ｂに挿通している。また、安全ピン１６は、両端部１６ａ側に所定の圧力を受けると折断する細径な欠損部２０が形成されている。
【００２２】
そして、安全ピン１６の両端部１６ａが、ブロック体１４の底部２２と、圧力開放通路１９（凹部分１９ｂ）の縁部２３との間に挟持されることによって、弁部材１５が仮固定される構成である（図８及び図９参照）。このとき弁部材１５のパッキン部１５ｄが圧力開放通路１９の孔部１９ａに圧着状態になるように構成される。
【００２３】
なお、図８から図１０に示す符号２４は、吐出流路１８が設けられる躯体の一部を示し、この躯体２４に対してブロック体１４がボルト２１で固定される。吐出流路１８は、グラウトあるいはセメントミルクが矢印方向に高圧で流れる。また、符号１９ｂは、圧力開放通路１９の端部側を構成して孔部１９ａと連通する凹部分を示し、この凹部分１９ｂに弁部材１５の下方部分が嵌り込むように配設される構成になっている。更に、符号２８は、詰まったセメントを取り出すための取出し口を示す。
【００２４】
押込みボルト１７は、ブロック体１４の上部から垂直に螺着しており、この押込みボルト１７を螺入すると、一端部１７ａが弁部材１５の上部１５ａに当接して、当該弁部材１５を強制的に押し込むことができる。また、他端部１７ｂ側がブロック体１４の上部から突出して、保持部材２６の開口部３０を挿通している。また、他端部１７ｂには、頭部１７ｃが設けられている。
【００２５】
押込みボルト１７の他端部１７ｂ側には、当該押込みボルト１７の誤螺入を防止するための誤螺入防止用部材３１を取外し自在に備える。この誤螺入防止用部材３１は、図６に示すように、ほぼ筒形状に形成され、その長手方向に沿って凹部が３１ａが設けられている。この凹部３１ａを押込みボルト１７の軸部１７ｄを沿わせてセットして、押込みボルトの誤螺入を防止する（図８及び図１０参照）。
【００２６】
次に、以上のような構成の圧抜き装置１１が自動的に圧力を開放する仕組みについて説明する。まず、高圧プランジャーポンプ等のグラウト用ポンプは、通常約４２０〜４３０kg程度の圧力で作業を行う。
【００２７】
しかし、高圧ホースのノズルが詰まるなどして、圧力が約４８０kg以上になった場合には、圧力開放通路１９の圧力が増して、弁部材１５が上方に高圧で押圧されて、安全ピン１６の欠損部２０が折断する構成になっている。このようにして欠損部２０が折断すると弁部材１５は、高圧で押圧されてシリンダー部１２を瞬時に上昇し（図１０参照）、圧力開放通路１９（凹部分１９ｂ）から噴出するセメントミルクが、排出孔１３から噴出して圧力が開放される仕組みになっている。なお、図示はしないが、排出孔１３にはホースが連結されて、噴出するセメントミルクは所定の排出場所に排出される。
【００２８】
圧抜き装置１１を手動で圧力を開放する場合について説明する。高圧ホースのノズルが詰まって、グラウト用ポンプの検知装置が異常圧力を検知すると、当該ポンプの駆動を停止させる。
【００２９】
このとき、グラウト用ポンプの圧力が４８０kg未満である時は、欠損部２０が上述のようには折断しない。この場合は押込みボルト１７を回転させて螺入し、一端部１７ａで弁部材１５の上部１５ａを押圧し、当該弁部材１５を強制的に押し込んで（図９参照）、安全ピン１６の欠損部２０を折断させる。
【００３０】
このようにして欠損部２０を折断した後に、押込みボルト１７を逆回転させて緩める（上昇させる）と、弁部材１５が押圧されてシリンダー部１２を上昇し（図１０参照）、排出孔１３からセメントミルクが噴出して圧力が開放される仕組みである。
【００３１】
以上のように構成される圧抜き装置１１は、高圧ホースのノズル等が詰まったときに、自動的にあるいは手動で、安全かつ確実に残圧を開放することができるので、従来例のような、高圧ホースを切断した瞬間にセメントミルクが噴出して負傷する事故を防止できるのである。
【符号の説明】
【００３２】
１１  圧抜き装置
１２  シリンダー部
１３  排出孔
１４  ブロック体
１５  弁部材
１５ａ  上部
１５ｂ  挿通孔
１５ｃ  テーパー部
１５ｄ  パッキン部
１５ｅ  筒部
１６  安全ピン
１６ａ  端部
１７  押込みボルト
１７ａ  一端部
１７ｂ  他端部
１７ｃ  頭部
１７ｄ  軸部
１８  吐出流路
１９  圧力開放通路
１９ａ  孔部
１９ｂ  凹部分
２０  欠損部
２１  ボルト
２２  底部
２３  縁部
２４  躯体
２６  保持部材
２６ａ  端部
２７  ボルト
２８  取出し口
２９ａ、２９ｂ  側部
３０  開口部
３１  誤螺入防止用部材
３１ａ  凹部
【図１】
0005933303.tif 000002
【図２】
0005933303.tif 000003
【図３】
0005933303.tif 000004
【図４】
0005933303.tif 000005
【図５】
0005933303.tif 000006
【図６】
0005933303.tif 000007
【図７】
0005933303.tif 000008
【図８】
0005933303.tif 000009
【図９】
0005933303.tif 000010
【図１０】
0005933303.tif 000011